(57)【要約】【課題】水性系の増粘剤を提供する。【解決手段】（ａ）２５％〜４５％カルボン酸モノマー残基；（ｂ）５０％〜６５％のＣ２〜Ｃ４アルキル（メタ）アクリレート残基；（ｃ）２％〜２０％の、（ｉ）アルキル（メタ）アクリレート、（ｉｉ）ビニルアルカノエート、（ｉｉｉ）Ｎ−ビニルアルキルアミド、および（ｉｖ）Ｎ−アルキル（メタ）アクリルアミドの少なくとも１つの残基（６〜１８個の炭素原子を有するアルキル基が存在する）、および（ｄ）０．０１％〜２％の少なくとも１種の架橋剤の残基を含むポリマー。【選択図】なし【特許請求の範囲】
【請求項１】
（ａ）２５％〜４５％のカルボン酸モノマー残基；
（ｂ）５０％〜６５％のＣ２〜Ｃ４アルキル（メタ）アクリレート残基；
（ｃ）６〜１８個の炭素原子を有するアルキル基が存在する、（ｉ）アルキル（メタ）アクリレート、（ｉｉ）ビニルアルカノエート、（ｉｉｉ）Ｎ−ビニルアルキルアミド、および（ｉｖ）Ｎ−アルキル（メタ）アクリルアミド、の少なくとも１つの残基を２％〜２０％；および
（ｄ）０．０１％〜２％の少なくとも１種の架橋剤の残基：
を含むポリマー。
【請求項２】
３０％〜４０％のカルボン酸モノマー残基を含み、前記カルボン酸モノマー残基がアクリル酸およびメタクリル酸から選択される請求項１記載のポリマー。
【請求項３】
５２％〜６２％のＣ２〜Ｃ４アルキルアクリレート残基を含む請求項２記載のポリマー。
【請求項４】
６〜１６個の炭素原子を有するアルキル基が存在する、（ｉ）アルキルアクリレート、または（ｉｉ）ビニルアルカノエート：の少なくとも１つの残基を５％〜１５％含む、請求項３記載のポリマー。
【請求項５】
前記の少なくとも１種の架橋剤が、０．０５％〜０．５％の量で存在する請求項４記載のポリマー。
【請求項６】
０．１％〜８％の請求項５記載のポリマーを含む水性組成物。
【請求項７】
５％〜４０％の少なくとも１種の界面活性剤を有する請求項６記載の水性組成物。
【請求項８】
３〜１２のｐＨを有し、５％〜２５％の少なくとも１種の界面活性剤を有する請求項７記載の水性組成物。
【請求項９】
（ｉ）０．１％〜２％の不溶性物質；および（ｉｉ）０．１〜５％のシリコーン、パール化剤または分散された液体：の少なくとも一つをさらに含む請求項８記載の水性組成物。
【請求項１０】
１％〜２．５％の前記ポリマーを有する請求項９記載の水性組成物。
【発明の詳細な説明】
【技術分野】
【０００１】
本発明は水性系における使用に好適なポリマー増粘剤に関する。
【背景技術】
【０００２】
レオロジー調整剤は、例えば、シャンプーをはじめとする水性洗浄製品において、高剪断速度での製品の流動性を維持しつつ、低剪断速度での粘度を増大させるために使用される。加えて、レオロジー調整剤は、水性相中に分散された粒子状物質またはビーズの有効な熱−老化安定懸濁液を提供できる。ビニルモノマーから製造されるさまざまなコポリマー増粘剤が、この目的のために使用されてきた。例えば、米国特許第６６３５７０２号は、水性系において増粘剤として使用されるアクリルエマルジョンポリマーを開示している。しかしながら、このような増粘剤は、所定の用途に関して最適の粘度特性、または不溶性物質の熱老化安定懸濁液を提供しないことが多い。
【特許文献１】米国特許第６６３５７０２号明細書
【発明の開示】
【発明が解決しようとする課題】
【０００３】
本発明により扱われる問題は、最適粘度特性および／または良好な懸濁特性を提供するレオロジー調整ポリマーの必要性である。
【課題を解決するための手段】
【０００４】
本発明は：（ａ）２５％〜４５％のカルボン酸モノマー残基；（ｂ）５０％〜６５％のＣ２〜Ｃ４アルキル（メタ）アクリレート残基；（ｃ）２％〜２０％の（ｉ）アルキル（メタ）アクリレート、（ｉｉ）ビニルアルカノエート、（ｉｉｉ）Ｎ−ビニルアルキルアミド、および（ｉｖ）Ｎ−アルキル（メタ）アクリルアミドの少なくとも１つの残基（６〜１８個の炭素原子を有するアルキル基が存在する）；および（ｄ）０．０１％〜２％の少なくとも１種の架橋剤の残基を含むポリマーを提供する。
【０００５】
本発明はさらに、０．１％〜８％の前記ポリマーを含む水性組成物を提供する。
【発明を実施するための最良の形態】
【０００６】
他に特に規定しない限り、パーセンテージは全組成物基準の重量パーセントである。本明細書において用いられる場合、「（メタ）アクリル」なる用語は、アクリルまたはメタクリルを意味し、「（メタ）アクリレート」は、アクリレートまたはメタクリレートを意味し、「（メタ）アクリルアミド」なる用語は、アクリルアミドまたはメタクリルアミドを意味する。「アクリルポリマー」なる用語は、アクリルモノマー、すなわち、アクリル酸（ＡＡ）、メタクリル酸（ＭＡＡ）およびそのエステルおよびアミドのポリマー、ならびに少なくとも５０％のアクリルモノマーを含むコポリマーを意味する。ＡＡおよびＭＡＡのエステルは、これらに限定されないが、メチルメタクリレート（ＭＭＡ）、エチルメタクリレート（ＥＭＡ）、ブチルメタクリレート（ＢＭＡ）、ヒドロキシエチルメタクリレート（ＨＥＭＡ）、イソボルニルメタクリレート（ＩＢＯＭＡ）、メチルアクリレート（ＭＡ）、エチルアクリレート（ＥＡ）、ブチルアクリレート（ＢＡ）、エチルヘキシルアクリレート（ＥＨＡ）、およびヒドロキシエチルアクリレート（ＨＥＡ）、ならびにＡＡまたはＭＡＡの他のアルキルエステルを包含する。好ましくは、アクリルポリマーは、少なくとも７５％、さらに好ましくは少なくとも８０％、最も好ましくは少なくとも８８％の（メタ）アクリル酸または（メタ）アクリレートまたは（メタ）アクリルアミドモノマーから誘導されるモノマー残基を有する。
【０００７】
本発明の目的に関して、アルキル基は直鎖または分岐鎖アルキル基あるいはアルアルキルまたはアルキル炭素環式基、例えば、アルキルフェニル基である。アルキル基は、合成のものでも、あるいは天然源のものでもよいが、後者の場合、特に、ある範囲の鎖長を含有することができると理解される。例えば、天然源のステアリン酸は、商業的に純粋な品質のものでも、約９０％のステアリン鎖しか含有せず、約７％までのパルミチン鎖およびある割合の他の鎖を含有する場合があり、低品質の生成物は実質的にさらに少ないステアリン酸を含有しうる。本発明においては、このような基の鎖長について言及する場合、鎖の５０％超、好ましくは７５％超として存在する主な鎖長についてであることが意図される。
【０００８】
好ましくは、本発明において用いられるコポリマー中のＣ２〜Ｃ４アルキル（メタ）アクリレート残基は、Ｃ２〜Ｃ３アルキル（メタ）アクリレート残基である。好ましくは、Ｃ２〜Ｃ４アルキル（メタ）アクリレート残基は、Ｃ２〜Ｃ４アルキルアクリレート残基であり、さらに好ましくはＣ２〜Ｃ３アルキルアクリレート残基であり、最も好ましくはＥＡからの残基である。好ましくは、Ｃ２〜Ｃ４アルキル（メタ）アクリレート残基の量は少なくとも５２％、最も好ましくは少なくとも５４％である。好ましくはＣ２〜Ｃ４アルキル（メタ）アクリレート残基の量は、６２％以下、さらに好ましくは６０％以下、最も好ましくは５８％以下である。
【０００９】
カルボン酸モノマーは、３〜１０個の炭素原子を有し、少なくとも１個のカルボン酸基を含有する任意のエチレン性不飽和モノマーである。好ましくは、カルボン酸モノマーは、ＡＡ、ＭＡＡ、イタコン酸、フマル酸、クロトン酸およびマレイン酸からなる群から選択され；さらに好ましくはＡＡおよびＭＡＡから選択され；最も好ましくはＭＡＡである。好ましくは、本発明において用いられるコポリマー中のカルボン酸モノマー残基の量は、少なくとも３０％、さらに好ましくは少なくとも３２％、最も好ましくは少なくとも３４％である。好ましくは、カルボン酸モノマー残基の量は、４０％以下、最も好ましくは３８％以下である。
【００１０】
本発明のポリマーは、２％〜２０％の、（ｉ）アルキル（メタ）アクリレート、（ｉｉ）ビニルアルカノエート、（ｉｉｉ）Ｎ−ビニルアルキルアミド、および（ｉｖ）Ｎ−アルキルアクリルアミドの少なくとも１つの残基を含み；ここにおいて、６〜１８個の炭素原子を有するアルキル基が存在する。すなわち、アルキル（メタ）アクリレートのアルキル基、
【００１１】
【化１】
2006225656.tif 000002
【００１２】
または
【００１３】
【化２】
2006225656.tif 000003
【００１４】
またはビニルアルカノエートのアルキル基、
【化３】
2006225656.tif 000004
【００１５】
またはＮ−ビニルアルキルアミドのアルキル基、
【化４】
2006225656.tif 000005
【００１６】
またはＮ−アルキル（メタ）アクリルアミドのアルキル基、
【化５】
2006225656.tif 000006
【００１７】
または
【化６】
2006225656.tif 000007
【００１８】
は６〜１８個の炭素原子を有する。（ｉ）、（ｉｉ）、（ｉｉｉ）および（ｉｖ）の１より多くが存在するならば、Ｃ６〜Ｃ１８アルキル基を有するかかる残基の合計量は、２％〜２０％である。好ましくは、ポリマーは少なくとも３％のかかる残基を含有し、さらに好ましくは少なくとも５％、最も好ましくは少なくとも６％のかかる残基を含有する。好ましくは、ポリマーは１５％以下のかかる残基を含有し、最も好ましくは１２％以下のかかる残基を含有する。好ましくは、ポリマーは、アルキル（メタ）アクリレートまたはビニルアルカノエートから誘導される残基を含有する。好ましくは、アルキル基は１６個以下の炭素原子、さらに好ましくは１２個以下の炭素原子を有する。好ましくは、アルキル基は分岐している。好ましくはアルキル（メタ）アクリレートはアルキルアクリレートである。
【００１９】
本発明の好ましい一実施形態において、ポリマーは、アルキル基が６〜１０個の炭素原子を有するアルキル（メタ）アクリレート；およびアルキル基が７〜１５個の炭素原子、さらに好ましくは７〜１１個の炭素原子を有し、分岐しているビニルアルカノエートの両方の残基を含有する。好ましくは、どちらのアルキル基も分岐している。好ましくは、アルキル（メタ）アクリレートはアルキルアクリレートである。
【００２０】
本発明の水性組成物は、０．１％〜８％の少なくとも１種の本発明のポリマーを含む。すなわち、ポリマーの合計量はこの範囲内にある。好ましくは、水性組成物中のポリマーの量は、少なくとも０．５％、さらに好ましくは少なくとも０．７５％、さらに好ましくは少なくとも１．０％、最も好ましくは少なくとも１．２％である。好ましくは、水性組成物中のコポリマーの量は、４％以下、さらに好ましくは３％以下、最も好ましくは２．５％以下である。好ましくは、ポリマーはアクリルポリマーである。水性分散液中または乾燥形態のポリマーを水性系中にブレンドして増粘し、続いて所望により酸性または塩基性物質を適当に添加することができる。
【００２１】
好ましくは、水性組成物のｐＨは少なくとも３、さらに好ましくは少なくとも４である。本発明の一実施形態において、ｐＨは少なくとも５、さらに好ましくは少なくとも５．５である。好ましくは、ｐＨは１２以下、さらに好ましくは１１以下、最も好ましくは８以下である。本発明の一実施形態においてｐＨは７以下である。ｐＨを調節するために様々な塩基、例えば水酸化物塩基、例えば水酸化ナトリウム、またはアミン塩基、例えばアミノメチルプロパノールを添加することができる。好ましくは、水性組成物の配合において、例えば米国特許第４５２９７７３号および第６６３５７０２号に記載されている「逆滴定」法と対照的に、１回のｐＨ調節が行われる。
【００２２】
本発明の水性組成物は、好ましくは１％〜４０％の少なくとも１種の界面活性剤を含有する。すなわち、界面活性剤の合計量はこの範囲内である。さらに好ましくは、本発明の水性組成物は少なくとも５％の少なくとも１種の界面活性剤、さらに好ましくは少なくとも１０％、最も好ましくは少なくとも１２％の少なくとも１種の界面活性剤を含有する。好ましくは、水性組成物は２５％以下の少なくとも１種の界面活性剤、さらに好ましくは１８％以下の少なくとも１種の界面活性剤を含有する。好ましくは、水性組成物は３〜１２のｐＨを有する。
【００２３】
界面活性剤は好ましくは、カルボキシレート、スルホネート、スルフェートまたはホスフェート可溶化基により特徴づけられるアニオン性界面活性剤；アミドまたはヒドロキシル基あるいはエチレンオキシド鎖により特徴づけられる非イオン性界面活性剤；およびカチオン性、両性または両性イオン性界面活性剤の群から選択される。界面活性剤は、本発明により必要とされる量において増粘ポリマーおよび水性系の他の成分と相溶性でなければならない。アミンまたはアンモニウム可溶化基により特徴づけられるカチオン性界面活性剤、および／またはアニオン性およびカチオン性可溶化基の組み合わせにより特徴づけられる両性界面活性剤を選択することができる。本発明の実施において用いられる好ましい界面活性剤は、Ｃ８〜Ｃ１８脂肪酸またはその水溶性塩、Ｃ８〜Ｃ１８アルコールの水溶性スルフェートまたはエーテルスルフェート、スルホン化アルキルアリール化合物、例えば、ドデシルベンゼンスルホネート、アルキルフェノキシポリエトキシエタノール、例えばＣ７〜Ｃ１８アルキル基および９〜４０またはそれより多いオキシエチレン単位を有するもの、長鎖カルボン酸（例えば、ラウリン酸、ミリスチン酸、パルミチン酸またはオレイン酸）のエチレンオキシド誘導体、、長鎖アルコール、例えばラウリルまたはセチルアルコールのエチレンオキシド誘導体、アルカノールアミドおよびポリグルコシド、例えばアルキルポリグルコシド、ならびにグルタメートなどのアミノ酸から誘導される界面活性剤から選択することができる。好適なカチオン性界面活性剤は、例えば、ラウリルピリジニウムクロリド、オクチルベンジルトリメチル−アンモニウムクロリド、ドデシルトリメチルアンモニウムクロリドおよび第一脂肪酸アミンのエチレンオキシド縮合物である。好適な両性イオン性界面活性剤は、例えばベタインを含む。
【００２４】
本発明の組成物は、任意に、他の成分、例えば、塩、補助レオロジー調整剤（例えば、Ｌａｐｏｎｉｔｅ（商標）クレー、セルロース誘導体、カラギーナン、キサンタン、ＰＥＧ−１５０ジステアレート（Ａｃｕｌｙｎ（商標）６０レオロジー調整剤）、ＰＥＧ−１５０ペンタエリスリチルテトラステアレート、他の会合性または非会合性アクリルレオロジー調整剤、例えばアクリレートコポリマー、アクリレートコポリマーの誘導体、Ａｃｕｌｙｎ（商標）３３レオロジー調整剤、Ａｃｕｌｙｎ（商標）２２レオロジー調整剤、Ａｃｕｌｙｎ（商標）２８レオロジー調整剤、アクリレート／ベヘネス−２５メタクリレートコポリマー、アクリレート／ベヘネス−２５メタクリレートコポリマーの誘導体、およびＡｃｕｌｙｎ（商標）８８レオロジー調整剤、Ｃａｒｂｏｐｏｌ（商標）Ａｑｕａ−ＳＦ１、Ｃａｒｂｏｐｏｌ（商標）Ａｑｕａ３０、およびＣａｒｂｏｐｏｌ（商標）Ｕｌｔｒｅｚ−２１、他のアクリルまたはウレタンポリマー、たとえばＡｃｕｌｙｎ（商標）４４レオロジー調整剤またはＡｃｕｌｙｎ  ４６レオロジー調整剤、有機または無機粒子（例えば、研磨剤、ビーズ、マイカ、カプセル化オイルビーズ）、シリコーン、パール化剤、分散液体、分散剤、可溶性または分散された殺生物剤、ビタミン、湿潤剤、酵素、漂白剤、皮膚軟化剤、香料、色素、チオグリコール酸、ＵＶＡおよびＵＶＢ吸収剤、赤外線吸収剤などを含むことができる。水性組成物中に懸濁されうる不溶性物質は、クレー、ビーズ、ワックス、ゼラチンおよび他の粒子状物質を含む。
【００２５】
本発明のポリマーは架橋され、すなわち少なくとも１種の架橋剤、例えば、２以上のエチレン性不飽和基を有するモノマーが重合の間にコポリマー成分とともに含められる。このようなモノマーの好ましい例としては、ジビニルベンゼン、トリメチロールプロパンジアリルエーテル、テトラアリルペンタエリスリトール、トリアリルペンタエリスリトール、ジアリルペンタエリスリトール、ジアリルフタレート、トリアリルシアヌレート、ビス−フェノールＡジアリルエーテル、メチレンビスアクリルアミドおよびアリルスクロースが挙げられる。一実施形態において、架橋剤はエステルまたはアミド官能基を有さない。ジビニルベンゼン、トリメチロールプロパンジアリルエーテル（ＴＭＰＤＥ）およびテトラアリルペンタエリスリトールが特に好ましい。ポリマー中の架橋剤残基の量は、モノマーの合計重量基準で、０．０１％〜３％である。好ましくは、ポリマー中の架橋剤残基の量は、１％以下、さらに好ましくは０．５％以下であり、最も好ましくは０．２％以下である。好ましくは、ポリマー中の架橋剤残基の量は、少なくとも０．０５％、さらに好ましくは少なくとも０．１％である。本発明の一実施形態において、架橋剤は二官能性であり、例えばジビニルベンゼンまたはＴＭＰＤＥである。
【００２６】
本発明の一実施形態において、架橋剤が使用される場合、ポリマーは連鎖移動剤の存在下で調製される。好適な連鎖移動剤の例としては、四塩化炭素、ブロモホルム、ブロモトリクロロメタン、およびメルカプト基を有する化合物、例えば３−メルカプトプロピオン酸または長鎖アルキルメルカプタンおよびチオエステル、例えばドデシル−、オクチル−、テトラデシル−またはヘキサデシルメルカプタンまたはブチル−、イソオクチル−またはドデシル−チオグリコレートが挙げられる。使用される場合、連鎖移動剤の量は、典型的にはコポリマー成分の重量基準で０．０１％〜５％、好ましくは０．１％〜１％である。架橋剤が、重合目的に関して対立する作用である連鎖移動剤と組み合わせて用いられるならば、例外的な有効性だけでなく、生成物の透明度の増大により示されるように親水性界面活性剤と非常に高い相溶性が観察される。
【００２７】
酸性ｐＨでの公知の水性方法、中性ｐＨでの逆乳化法、あるいは沈殿または溶液重合法、および当該分野において公知の任意の他の適当な添加剤、例えば、フリーラジカル開始剤、例えば過酸素（ｐｅｒｏｘｙｇｅｎ）化合物またはジアゾ化合物および、任意に連鎖移動剤を用いてモノマーを共重合させることによりレオロジー調整剤を調製できる。好適な過酸素化合物は、例えば、パーオキシド、ヒドロパーオキシド、パースルフェートまたは有機パーオキシドであり、開始剤の好適な量は、コポリマーの成分の０．０１重量％〜３重量％でありうる。共重合温度は、約２５℃〜９５℃であり、好ましくは６０℃〜９２℃でありうる。コポリマーエマルジョンは濾過により回収されることができ、コポリマーは所望により、噴霧乾燥または凝集により乾燥形態で得られうる。米国特許第４３８４０９６号、第４６６３３８５号、第４４２９０９７号および第４５１４５５２号は、好適な共重合および回収技術、ならびに好適なモノマーおよび添加剤のさらなる一般的および具体的詳細について参照される。一次ポリマー鎖の分子量は典型的には約１００，０００〜１，０００，０００の範囲である。
【００２８】
本発明のポリマーが有用である特定の水性組成物はボディーウォッシュである。ボディーウォッシュの典型的な成分は、前述のポリマー増粘剤および界面活性剤に加えて、ｐＨ４〜６．７５、好ましくは４．５〜６．７５、さらに好ましくは６．０〜６．６を達成するために十分な塩基または酸；および任意の成分、例えばシリコーン、パール化剤、ビタミン、油、香料、色素、殺生物剤、ならびにポリオレフィン、例えばポリエチレンおよびポリスチレン；ゼラチン；マイカ；カプセル化オイルまたはビタミンビーズ；およびホホバワックスビーズをはじめとする様々な物質から作られた不溶性ビーズを含む。好ましくは、ビーズの量は０．１％〜２％、さらに好ましくは０．２％〜１％である。好ましくは、ビーズの平均半径は、０．１ｍｍ〜１０ｍｍである。典型的には、使用される界面活性剤は、アニオン性界面活性剤および両性界面活性剤の混合物であり、好ましくは８％〜１６％のアニオン性界面活性剤および１％〜５％の両性界面活性剤の混合物である。
【００２９】
本発明のポリマーが有用である第二の特定の水性組成物はシャンプーである。コンディショニングシャンプーの典型的な成分は、前述のポリマー増粘剤および界面活性剤以外に、ｐＨ４〜７、好ましくは４．７５〜７．０を達成するために十分な塩基を含む。本発明の一具体例は、分散されたシリコーン、および任意の成分、例えばパール化剤および亜鉛ピリチオンまたは他のふけ防止剤を含有するコンディショニングシャンプーである。
【００３０】
本発明のポリマーが有用である第三の水性組成物は硬質表面洗浄剤である。前述のポリマー増粘剤および界面活性剤以外の硬質表面洗浄剤の典型的な成分は、ｐＨ９〜１２を達成するために十分な塩基、および任意の成分、例えば溶媒、塩、香料、および色素を含む。
【００３１】
ポリマーが有用である他の配合物は、ヘアジェル（アルコール含有および無アルコール）；ヘアスタイリングクリーム、ペースト、またはガム；シャンプー、コンディショナー、２イン１コンディショニングシャンプー、ボディーウォッシュ／シャワージェル、液状石けん、日焼け止めローションおよびスプレー、日焼けローション、スキンケアローション、ビタミンを含有するスキンケアローション、２成分毛染剤、パーマ液、織物および硬質表面洗浄剤、例えば洗濯洗剤、液状食器洗い機用洗剤、食器洗い用洗剤、シミ取り用前処理剤、オーブンクリーナー、およびガラス／窓クリーナー、ならびに全ての種類のアルコールまたは水／アルコール配合物を増粘することを包含する。ポリマーは、補助乳化剤または界面活性剤の有無にかかわらず、ポリマー乳化剤として使用することもできる。
【実施例】
【００３２】
【表１】
2006225656.tif 000008
【００３３】
ａ．ＤＡＰはジアリルフタレートである。
ｂ．ＴＭＰＤＥ：トリメチロールプロパンジアリルエーテル
【００３４】
（実施例１）
試験サンプルの調製（ボディーウォッシュ配合物）：
１．最終配合物中２．０％ポリマーにするために十分なポリマー（上記表のＡ〜Ｎ）を量り分ける。脱イオン水で前もって希釈する。
２．ラウレス硫酸ナトリウム（Ｓｔｅｏｌ（商標）ＣＳ−２３０、Ｓｔｅｐａｎ、Ｉｎｃ．から入手可能）を添加して、最終配合物中１２％活性成分を得る。
３．１０％ＮａＯＨ溶液で配合物のｐＨを６．２〜６．４に調節する。
４．コカミドプロピルベタイン（Ａｍｐｈｏｓｏｌ（商標）ＣＡ、Ｓｔｅｐａｎ、Ｉｎｃ．から入手可能）を添加して、最終配合物中３％の活性成分を得る。
５．適量の脱イオン水で合計量にする。サンプルを１時間以上平衡化させ、必要ならばＮａＯＨでｐＨを調節する。
６．サンプルを３つに分ける。１つにポリエチレンビーズ（Ｐｅｒｆｏｒｍａｌｅｎｅ（商標）２０００ＭｉｎｉＰｒｉｌｌｓ、Ｎｅｗ  Ｐｈａｓｅ  Ｔｅｃｈｎｏｌｏｇｉｅｓから入手可能）を添加して０．５％にし、混合して組み入れる。第２のものに、ホホバワックスビーズ（Ｊｏｊｏｂａ  Ｗａｘ  Ｐｒｉｌｌｓ４０／６０、Ａ＆Ｅ  Ｃｏｎｎｏｃｋから入手可能）を添加する。第三のものをレオロジー測定に使用する。
７．サンプル１のレオロジーを２５℃および４０℃で測定する。ビーズ懸濁液を室温および４５℃でモニターする。
１レオロジー分析は、ＴＡ  Ｉｎｓｔｒｕｍｅｎｔｓ  ＡＲ２０００レオメーターで、２５℃、６０ｍｍ０．５°スチールコーンを用いて行った。低から高剪断応力法から得られる標準定常状態流量を分析に使用し、剪断応力は０．００２Ｐａから７００Ｐａに増大した。粘度を１０−４および１０ｓ−１の剪断速度でのＰａ・ｓで記録する。
【００３５】
透明度（ＮＴＵ）、粘度およびビーズ懸濁試験の結果を以下の表に示す。ビーズ懸濁についての「合格」結果は、試験温度で４週間超のあいだ安定な懸濁を示す。ポリエチレン（ＰＥ）およびホホバビーズを使用した。ＨＦ  Ｓｃｉｅｎｔｉｆｉｃ  Ｍｉｃｒｏ１００実験室用濁度計を用い、ＥＰＡ１８０．１法（ネフェロ分析法）における詳細を使用して濁度分析を行った。懸濁されたビーズを含有するサンプルをＦＩＳＨＥＲ  ＩＳＯＴＥＭＰ３００シリーズオーブン３３８Ｆ型中、温度を４５±２℃に制御して老化させることにより、熱老化試験を行った。ＭＥＴＴＬＥＲ  ＴＯＬＥＤＯ  ＳＥＶＥＮＥＡＳＹ  ｐＨ計を用いてｐＨ測定を行った。
【００３６】
【表２】
2006225656.tif 000009
【００３７】
（実施例２）
パール化２−イン−１コンディショニングシャンプー
１．最終配合物中１．４％ポリマーにするために十分なポリマーＭを量り分ける。脱イオン水であらかじめ希釈する。
２．ラウレス硫酸ナトリウム（Ｓｔｅｏｌ（商標）ＣＳ−２３０、Ｓｔｅｐａｎ、Ｉｎｃ．から入手可能）を添加して、最終配合物中１２％の活性成分を得る。
３．１０％ＮａＯＨ溶液で配合物のｐＨを５．５〜５．７に調節する。
４．コカミドプロピルベタイン（Ａｍｐｈｏｓｏｌ（商標）ＣＡ、Ｓｔｅｐａｎ、Ｉｎｃ．から入手可能）を添加して、最終配合物中３％の活性成分を得る。
５．ココ−グルコシド、グリコールジステアレートおよびグリセリンの混合物（Ｅｕｐｅｒｌａｎ（商標）ＰＫ−１２００、Ｃｏｇｎｉｓ、Ｉｎｃ．から入手可能）を添加して、最終配合物中２％の活性成分にする。
６．ジメチコン、ラウレス−２３およびＣ１２−１５パレス−３の混合物（Ｄｏｗ  Ｃｏｒｎｉｎｇ２−１４９１  Ｅｍｕｌｓｉｏｎ）の混合物を添加して、最終配合物中３％の活性成分にする。
７．５−クロロ−２−メチル−４−イソチアゾリン−３−オンおよび２−メチル−４−イソチアゾリン−３−オンの３：１混合物（Ｋａｔｈｏｎ（商標）ＣＧ殺生物剤、Ｒｏｈｍ  ａｎｄ  Ｈａａｓ  Ｃｏｍｐａｎｙ，Ｐｈｉｌａｄｅｌｐｈｉａ、ＰＡから入手可能）を添加して、最終配合物中０．０６％の活性成分にする。
８．適量の脱イオン水で合計量にする。サンプルを１時間以上平衡化させ、必要ならばｐＨをＮａＯＨで調節する。
９．前述のように２５℃でサンプルのレオロジーを測定する。シリコーンおよびパール化剤の懸濁／安定化について、サンプルを室温および４５℃でモニターする。
【００３８】
結果として得られるパール化された粘稠性液体は２５℃および４５℃で少なくとも２ヶ月間安定であった。１０ｓ−１の剪断速度での見かけの粘度は３Ｐａ．ｓであり、１０−４ｓ−１で８００Ｐａ．ｓであった。
【００３９】
（実施例３）
２−イン−１コンディショニングシャンプー
１．最終配合物中１．４％ポリマーにするために十分なポリマーＭを量り分ける。脱イオン水で前もって希釈する。
２．ラウリル硫酸アンモニウム（Ｓｔｅｐａｎｏｌ（商標）ＡＭＶ、Ｓｔｅｐａｎ、Ｉｎｃ．から入手可能）を添加して、最終配合物中６．２％活性成分にする。
３．ラウレス硫酸ナトリウム（Ｓｔｅｏｌ（商標）ＣＳ−２３０、Ｓｔｅｐａｎ、Ｉｎｃ．から入手可能）を添加して、最終配合物中６．２％活性成分にする。
４．配合物のｐＨを１０％ＮａＯＨ溶液で５．７〜５．９に調節する。
５．コカミドプロピルベタイン（Ａｍｐｈｏｓｏｌ（商標）ＣＡ、Ｓｔｅｐａｎ、Ｉｎｃ．から入手可能）を添加して、最終配合物中３％活性成分にする。
６．ジメチコン、ラウレス−２３およびＣ１２−１５パレス−３の混合物（Ｄｏｗ  Ｃｏｒｎｉｎｇ２−１４９１エマルジョン）を添加して、最終配合物中３％活性成分にする。
７．５−クロロ−２−メチル−４−イソチアゾリン−３−オンおよび２−メチル−４−イソチアゾリン−３−オンの３：１混合物（Ｋａｔｈｏｎ（商標）ＣＧ殺生物剤、Ｒｏｈｍ  ａｎｄ  Ｈａａｓ  Ｃｏｍｐａｎｙ、Ｐｈｉｌａｄｅｌｐｈｉａ、ＰＡから入手可能）を添加して、最終配合物中０．０６％活性成分にする。
８．適量の脱イオン水で合計量にする。サンプルを１時間以上平衡化させ、必要ならばＮａＯＨでｐＨを調節する。
９．前述のようにサンプルのレオロジーを２５℃および４５℃で測定する。シリコーンの懸濁／安定化についてのサンプルを室温および４５℃でモニターする。
【００４０】
得られる不透明粘稠性液体は、２５℃および４５℃で少なくとも２ヶ月間安定であった。１０ｓ−１の剪断速度での見かけの粘度は１０Ｐａ．ｓであり、１０−４ｓ−１で１４５０Ｐａ．ｓであった。
【００４１】
（実施例４）
低ｐＨボディーウォッシュ：
１．ラウレス硫酸ナトリウム（Ｓｔｅｏｌ（商標）ＣＳ−２３０、Ｓｔｅｐａｎ、Ｉｎｃ．から入手可能）を最終配合物中１２％活性成分になるように脱イオン水に添加する。
２．１０％クエン酸溶液で混合物のｐＨを２．８に調節する。
３．最終配合物中２．０％ポリマーにするために十分なポリマーＮを量り分ける。脱イオン水で前もって希釈する。混合物に添加する。
４．コカミドプロピルベタイン（Ａｍｐｈｏｓｏｌ（商標）ＣＡ、Ｓｔｅｐａｎ、Ｉｎｃ．から入手可能）を最終配合物中３％活性成分になるように添加する。
５．必要ならば１０％ＮａＯＨでｐＨを３．４に調節する。
６．適量の脱イオン水で合計量にする。サンプルを１時間以上で平衡化させ、必要ならばＮａＯＨでｐＨを調節する。
サンプルを３つに分ける。１つのものに、ポリエチレンビーズ（Ｐｅｒｆｏｒｍａｌｅｎｅ（商標）２０００ＭｉｎｉＰｒｉｌｌｓ、Ｎｅｗ  Ｐｈａｓｅ  Ｔｅｃｈｎｏｌｏｇｉｅｓから入手可能）を０．５％まで添加し、混合して組み入れる。第二のものに、ホホバワックスビーズ（Ｊｏｊｏｂａ  Ｗａｘ  Ｐｒｉｌｌｓ４０／６０、Ａ＆Ｅ  Ｃｏｎｎｏｃｋから入手可能）を添加する。第三のものはレオロジー測定に使用する。
７．前述のようにサンプルのレオロジーを２５℃および４０℃で測定し、前述のようにサンプルの濁度を２５℃で測定する。室温および４５℃でのビーズ懸濁について、サンプルをモニターする。
【００４２】
得られる混合物の１０ｓ−１の剪断速度での見かけの粘度は７０Ｐａ．ｓであり、１０−４ｓ−１で５６００Ｐａ．ｓであった。サンプルの濁度は５９ｎｔｕであった。
【００４３】
（実施例５）
硬質表面洗浄剤：
１．Ｃ１２−１５パレス−７（Ｎｅｏｄｏｌ（登録商標）２５−７、Ｓｈｅｌｌ  Ｃｈｅｍｉｃａｌから入手可能）を最終配合物中２．５％活性成分になるように脱イオン水に添加する。
２．ラウレス硫酸ナトリウム（Ｓｔｅｏｌ（登録商標）ＣＳ−２３０、Ｓｔｅｐａｎ、Ｉｎｃ．から入手可能）を最終配合物中１％活性成分になるように添加する。
３．珪酸カリウムを最終配合物中２．５％活性成分になるように添加する。
４．最終配合物中２．０％ポリマーにするために十分なポリマーＮを量り分ける。脱イオン水で前もって希釈し、界面活性剤混合物に添加する。
５．ＰＥＧ−４００を最終配合物中５％活性成分になるように添加する。
６．１０％ＮａＯＨ溶液で配合物のｐＨを１０．９〜１１．１に調節する。
７．適量の脱イオン水で合計量にする。サンプルを１時間以上で平衡化させる。
８．前述のようにサンプルのレオロジーを２５℃および４０℃で測定する。１０ｓ−１の剪断速度での見かけの粘度は１０であり、１０−４ｓ−１で１３００Ｐａ．ｓであった。
【外国語明細書】
2006225656000001.pdf
2006225656000002.pdf
2006225656000003.pdf